(57)【要約】【課題】逆流防止弁を装着した状態でも、また逆流防止弁を取り外した状態でも、シリンジ等の液体圧送手段を接続して、所望の液体を供給できる送液装置を提供する。【解決手段】本体操作部１における注液部１０に装着された注液用口金１２には、ルアーロック部１２ｄが設けられており、逆流防止弁は設けられてはいない。ルアーロック部１２ｄには栓部材２０の栓本体２２が着脱可能に装着されて、密閉可能となっており、また栓本体２２に代えて送液用アダプタ３０のルアーロック部材３１を装着できるようになっている。ルアーロック部材３１には逆止弁を構成するスリット３４が設けられており、ナット部材３６により注液用口金１２に接続状態で固定される。【選択図】　　図３
2004141305.tif 000002
【特許請求の範囲】
【請求項１】
内視鏡の本体操作部に固定的に設けられ、送液用アダプタが着脱可能に接続される注液用口金と、基端部がこの注液用口金に接続され、前記本体操作部から挿入部内に挿通され、先端が挿入部の先端に噴射口として開口する送液通路とを備え、前記送液用アダプタに送液手段を接続することにより前記噴射口から液体を噴射可能とした内視鏡の送液装置において、
前記送液用アダプタは先端に逆流防止弁を装着したルアーロック部材と、このルアーロック部材の外周部に連結して設けたストッパリングと、このストッパリングと前記ルアーロック部材の先端に設けたフランジ部との間に軸線方向に移動可能で回転自在に装着したナット部材とからなり、
また前記注液用口金の外周面には、前記ナット部材と螺合するねじ部を設け、かつその内面は先端側に向かうに応じて内径が縮径するルアーロック部が形成されており、
この注液用口金のルアーロック部には前記送液用アダプタに代えて前記送液通路内を洗浄するための洗浄液供給用シリンジが着脱可能に接続される
構成としたことを特徴とする内視鏡の送液装置。
【請求項２】
前記ナット部材とねじ部との螺合は多条ねじで構成したことを特徴とする請求項１記載の内視鏡の送液装置。
【請求項３】
前記ストッパリングは、前記ルアーロック部材の外周部に螺合させた上で、接着剤により固定するようになし、かつこのストッパリングは前記注液用口金の先端部との間で回り止め手段を介して連結される構成としたことを特徴とする請求項１記載の内視鏡の送液装置。
【発明の詳細な説明】
【０００１】
【発明の属する技術分野】
本発明は、内視鏡において、挿入部の先端から水を噴射するウォータジェットその他の補助送水機構等として用いられる内視鏡の送液装置に関するものである。
【０００２】
【従来の技術】
内視鏡には流体の給排を行う手段が複数種類設けられる。まず、体液等の吸引手段であり、この吸引手段は、通常は、処置具挿通チャンネルに吸引通路を接続して設け、この吸引通路には負圧ポンプを含む吸引装置に接続される。そして、吸引を行う場合には、内視鏡の本体操作部に設けた吸引バルブを操作する。
【０００３】
また、挿入部の先端に設けた観察窓を洗浄するために、洗浄用流体の供給手段が設けられる。ここで、洗浄用流体としては、洗浄液（通常は洗浄水）と加圧エアとからなり、観察窓が汚損されたときには、洗浄液を観察窓に噴射して、汚損物を洗い流し、次いで加圧エアを供給して、観察窓に付着する液滴を除去する。従って、内視鏡には送液路と送気路とが設けられ、これら送液路及び送気路に洗浄液や加圧エアを供給する際には、本体操作部に設けた送気送水バルブを操作する。なお、送液路及び送気路は挿入部の先端近傍で合流して、この合流路は挿入部の先端部において、観察窓に向けたノズルに接続されている。従って、送気送水バルブを送液状態となるように操作して、まず送液路から合流路を介してノズルから洗浄液を供給し、次いで送気路から合流路を介してノズルから加圧エアを噴射する状態に送気送水バルブを切り換えるようにする。これによって、観察窓が汚損されたときに、いちいち挿入部を体腔外に取り出さなくても、この観察窓の洗浄を行える。
【０００４】
さらに、内視鏡には、体腔内壁に高圧水を噴射させて、体腔内壁における付着物を除去したり、また色素剤を散布したりする等のために、送液装置が組み込まれたものもある。この送液装置は、挿入部の先端に噴射口を開口させて設けて、この噴射口から必要な液体を噴射させるものである。ここで、前述した洗浄液は観察窓に向けて噴射されるものであり、送液装置から噴射される液体は観察窓の観察視野の方向に向けて液体を噴射させる点で両者は異なっている。
【０００５】
送液装置は、前述したように挿入部の先端に噴射口を有するものであるが、この噴射口から液体を噴射させるための注液部は、本体操作部に装着され、シリンジ等の液体圧送手段が着脱可能に接続される。そして、この注液部から噴射口までの間はチューブ等からなる送液通路が設けられる。通常、体腔内の圧力は大気圧より高いために、注液部から送液通路を経て噴射口が連通していると、送液通路内の液体及び体腔内からの液体が逆流し、注液部から溢出する可能性があるので、液体を供給しないときには、この注液部を閉鎖状態に保持しなければならない。このために、注液部に逆流防止弁を設けて、常時においては、送液通路と大気との連通を遮断するようになし、液体圧送手段が接続されて、高圧の液体が圧送される際には逆流防止弁を開いて、送液通路から噴射口に液体を供給できるようにしている。
【０００６】
内視鏡は使用の都度洗浄及び消毒しなければならず、噴射口は挿入部の先端に開口していることから、噴射口及びそれと連通する送液通路の内部も洗浄する必要がある。そして、洗浄液の供給は、注液部に洗浄液乃至消毒液を充填したシリンジ等を接続して、送液通路から噴射口に向けて洗浄液や消毒液を供給する。また、ブラシを送液通路から噴射口に向けて挿入して、ブラシ洗浄を行うようにすることもある。
【０００７】
洗浄液、消毒液を供給するにしろ、また注液部側からブラシを挿入してブラシ洗浄を行うにしろ、注液部に設けた逆流防止弁は洗浄時には邪魔になる。そこで、注液部に逆流防止弁を着脱可能に装着するようになし、内部洗浄を行う際に、逆流防止弁を取り外すことができるように構成したものは、従来から知られている（例えば、特許文献１参照。）。
【０００８】
【特許文献１】
特許第２９８０２３２号公報（第５〜７頁、図１０〜図１３参照）。
【０００９】
前述した特許文献１では、注液部から逆流防止弁の弁部材そのものを液体の供給通路に着脱可能に取り付けるか、注液部の口金の内面にめねじを設けて、このめねじに逆流防止弁を装着した通路形成部材を螺挿するかの構成が採用されている。
【００１０】
【発明が解決しようとする課題】
ところで、前述した特許文献１のように、液体の供給通路に弁部材を着脱可能に取り付けると、その取外し及び取り付けに引っ掛け用の治具が必要となり、また強制的に取り外すことから、逆流防止弁が損傷する可能性もある。一方、通路形成部材に逆流防止弁を装着して、注液部の口金にねじ止めする場合には、通路形成部材を取り外した状態では、口金の内周面にねじが設けられているので、送液通路から噴射口までの経路洗浄を行うために、洗浄液や消毒液を充填したシリンジを接続できなくなる。
【００１１】
本発明は以上の点に鑑みてなされたものであって、その目的とするところは、逆流防止弁を装着した状態でも、また逆流防止弁を取り外した状態でも、シリンジ等の液体圧送手段を接続して、所望の液体を供給できるようにすることにある。
【００１２】
【課題を解決するための手段】
前述した目的を達成するために、本発明は、内視鏡の本体操作部に固定的に設けられ、送液用アダプタが着脱可能に接続される注液用口金と、基端部がこの注液用口金に接続され、前記本体操作部から挿入部内に挿通され、先端が挿入部の先端に噴射口として開口する送液通路とを備え、前記送液用アダプタに送液手段を接続することにより前記噴射口から液体を噴射可能とした内視鏡の送液装置であって、前記送液用アダプタは先端に逆流防止弁を装着したルアーロック部材と、このルアーロック部材の外周部に連結して設けたストッパリングと、このストッパリングと前記ルアーロック部材の先端に設けたフランジ部との間に軸線方向に移動可能で回転自在に装着したナット部材とからなり、また前記注液用口金の外周面には、前記ナット部材と螺合するねじ部を設け、かつその内面は先端側に向かうに応じて内径が縮径するルアーロック部が形成されており、この注液用口金のルアーロック部には前記送液用アダプタに代えて前記送液通路内を洗浄するための洗浄液供給用シリンジが着脱可能に接続される構成としたことをその特徴とするものである。
【００１３】
一般に、送液装置における注液用口金に接続されて、体腔内に洗浄水を噴射させたり、薬液を散布したりするために用いられるのはシリンジである。シリンジを注液用口金に着脱可能に接続するために、ルアーロック部材が用いられる。ルアーロック部材は、その内面が先端側に向けて僅かな角度傾斜するテーパ面形状となっており、このルアーロック部にシリンジが着脱可能に挿嵌される。そして、注液用口金にもこのルアーロック部を設けたのは、洗浄用のシリンジを接続できるようにするためである。逆流防止弁は送液用アダプタに装着している。この逆流防止弁はゴム等の弾性部材からなり、常時には密着状態となるスリットで構成される。そこで、この逆流防止弁を構成する弾性部材を注液用口金と送液用アダプタとの嵌合部のシール部材として利用することができる。つまり、逆流防止弁に弾性シールを行うための部分を連設して設け、それをルアーロックテーパ面に圧接させることにより、この嵌合部の気密を確保できる。
【００１４】
注液用口金に送液用アダプタを固定するためのナット部材は、注液用口金の外周面にねじ部を設けて、このねじ部にナット部材を螺合するが、ナット部材とねじ部との螺合は多条ねじで構成することで、送液用アダプタの螺回回数を少なくしても、強固に連結することができる。このように、注液用口金の外周面にねじ部が設けられているが、このねじ部を外部に露出しないようにするためには、本体操作部のケーシングでこのねじ部を覆うようにすれば良い。
【００１５】
ナット部材はルアーロック部材に対して回転自在となっているが、このルアーロック部材からみだりに分離しないように装着される。このために、一方のストッパ部となるのが、ルアーロック部材の基端部に設けたフランジ部である。また先端側への抜け出しを防止するために用いられるのがストッパリングである。このストッパリングは様々な方法でルアーロック部材に固定することができるが、このルアーロック部材の外周部に螺合させた上で、接着剤により固定することができる。また、送液用アダプタを注液用口金に装着した状態では、送液用アダプタ及びストッパリングがみだりに回転しないように保持する必要がある。このために、ストッパリングの先端に突起を設け、また注液用口金の先端にこの突起が係合する凹部を設けるか、またはその逆の構成とする。そして、突起を円弧形状とすれば、この突起と凹部との位置合わせが容易になる。
【００１６】
【発明の実施の形態】
以下、図面に基づいて本発明の実施の形態について説明する。まず、図１に内視鏡の概略構成を示す。図中において、１は本体操作部、２は体腔内等への挿入部、３はユニバーサルコードである。挿入部２は、本体操作部１への連結側から軟性部２ａ，アングル部２ｂ及び先端硬質部２ｃとなっており、先端硬質部２ｃには照明部と観察部とからなる内視鏡観察手段が設けられている。アングル部２ｂは先端硬質部２ｃを所望の方向に向けるために、本体操作部１に装着したアングル操作手段４の操作により任意の方向に湾曲させることができるものである。
【００１７】
この内視鏡には、ジェット噴射装置、補助送水装置等とも称される送液装置を備えている。この送液装置は、本体操作部１のケーシングに装着した注液部１０と、この注液部１０に接続した送液通路１１とを有し、送液通路１１の先端は噴射口１１ａとして挿入部２の先端硬質部２ｃにおいて、内視鏡観察手段の装着部近傍に開口している。ここで、噴射口１１ａからは液体、例えば水や薬液等を体腔内壁に向けて噴射させることができるようになっている。注液部１０は、本体操作部１において、挿入部２の連結部とは反対側の位置に設けられており、これによって送液通路１１は本体操作部１内において、ほぼ真直ぐに延在させることができる。その結果、ブラシ洗浄を行う際等に有利になる。ただし、注液部１０は本体操作部１のケーシングにおける下面等の位置に設ける構成とすることもできる。
【００１８】
注液部１０は、図２及び図３に示したように、注液用口金１２を備え、この注液用口金１２は本体操作部１のケーシング１ａに貫通する状態に設けた取付孔１３に装着されている。注液用口金１２には、取付孔１３の段差面１３ａに当接するフランジ部１２ａを有し、このフランジ部１２ａより先端側、つまり本体操作部１の内部側には外周面にねじ部１２ｂが設けられており、このねじ部１２ｂに固定用ナット１４が螺合されている。従って、注液用口金１２は、フランジ部１２ａと固定用ナット１４とによりケーシング１ａを挟持するようにして固定される。さらに、ねじ部１２ｂの先端側の部位は送液通路１１を構成するチューブの基端部が嵌合するように連結される連結部１２ｃとなっている。
【００１９】
注液用口金１２の基端側の部位はルアーロック部１２ｄとなって外部に開口している。ここで、ルアーロック部１２ｄは、その内面が基端側開口部の内径が最も大きく、所定の位置まで連続的に開口径が小さくなるようにルアーロックテーパ面Ｔを有する形状としたものであり、このテーパ角は６／１００という程度にごく緩やかなものとなっている。さらに、ルアーロック部１２ｄの先端部は円弧状に突出しており、また後述するように、円周方向において、１箇所乃至数箇所の凹部１５（本実施の形態においては１８０°の位置に２箇所）が形成されている。さらに、ルアーロック部１２ｄの外周面において、フランジ部１２ａから所定の間隔だけ離間した位置におねじ部１６が設けられている。このおねじ部１６は多条ねじ、例えば２条ねじ等から構成される。
【００２０】
注液用口金１２の基端部は常時開口した状態となっており、このままでは挿入部２を体腔内に挿入したときには、注液用口金１２、送液通路１１及び噴射口１１ａを介して、体腔内と大気とが連通することになる。そこで、この注液用口金１２におけるルアーロック部１２ｄには、栓部材２０または送液用アダプタ３０が着脱可能に装着されて、体腔内と大気との連通を遮断するようにしている。ここで、図２に示したように、栓部材２０が装着されていると、注液用口金１２の開口端が密閉されて、送液できない状態となる。一方、図３に示したように、栓部材２０を取り外して、送液用アダプタ３０をルアーロック部１２ｄに接続して、この送液用アダプタ３０に液体を充填したシリンジを接続すると、体腔の内部にシリンジ内の液体を供給できるようになる。
【００２１】
栓部材２０は、その全体が例えばフッ素ゴムその他の弾性部材で構成され、図４に仮想線で示し、図５に断面で示した構成となっている。栓部材２０は、注液用口金１２に嵌合される取付リング部２１と、栓本体２２及び取付リング部２１と栓本体２２とを連結する連結帯片２３とから構成される。取付リング部２１の内径は、注液用口金１２におけるルアーロック部１２ｄの外径寸法より小さくすることによって、締め付け状態にして装着されるようになっている。従って、装着状態では、取付リング部２１はおねじ部１６を乗り越えるようにして、取付孔１３の段差面１３ａとこのおねじ部１６とにより挟持された状態に保持される。
【００２２】
取付孔１３には、段差面１３ａの周囲に立ち上がり壁１３ｂが設けられており、この立ち上がり壁１３ｂは取付リング２１の外径より大きな円環状のものであり、さらにこの立ち上がり壁１３ｂの１箇所には栓部材２０の方向性を出すための段差部１３ｃが形成されている。この段差部１３ｃの幅寸法は栓部材２０の連結用帯片２３の幅寸法より多少大きめの円弧部を有するものであり、この段差部１３ｃにより注液用口金１２に栓部材２０を装着したときに、その連結用帯片２３が段差部１３ｃの左右の壁面にガイドされて、栓本体２２の方向性を一定にするようになされている。
【００２３】
栓本体２２は、円環状に形成した外壁部２４と、この外壁部２４の内側に形成した円環状溝２５と、この円環状溝２５の内側に位置する内壁部２６とから構成される。内壁部２６は概略円柱形状のものからなり、その先端部は凸円弧部２６ａが形成されている。円環状溝２５の溝幅は注液用口金１２におけるルアーロック部１２ｄの厚みより狭くなっており、従って栓部材２０の栓本体２２を注液用口金１２に嵌合させると、そのルアーロック部１２ｄは栓本体２２の円環状溝２５内に挿入されて、外壁部２４と内壁部２６との間に挟持されるようになる。その結果、注液用口金１２の内部が密閉状態となる。ここで、外壁部２４は注液用口金１２のおねじ部１６を覆う位置まで延在される。これによって、外壁部２４がおねじ部１６のねじ山に食い込むようになり、栓本体２２の抜け止めが図られる。また、ルアーロック部１２ｄの基端部には２箇所の凹部１５が形成されているが、円環状溝２５の溝底部にはこの凹部１５に係合する突出部２５ａが形成されている。
【００２４】
前述した構成を有する栓部材２０は、その取付リング部２１が注液用口金１２に常時嵌合された状態に保持されており、栓本体２２がこの注液用口金１２の基端部に装着されると、注液用口金１２が密閉状態になる。また、栓本体２２を脱着すると、送液用アダプタ３０を注液用口金１２に接続できるようになる。ここで、栓本体２２を脱着しても、栓部材２０そのものは注液用口金１２に連結した状態に保持される。また、栓本体２２が注液用口金１２に装着されると、その連結帯片２３が取付孔１３の段差部１３ｂにおける左右の壁部にガイドされて、栓部材２０がみだりに回転することがなく、栓本体２２は注液用口金１２の基端部に対して常に同じ位置に装着される。従って、ルアーロック部１２ｄの基端部に設けた凹部１５に栓本体２２の円環状溝２５の突出部２５ａが係合することになる。その結果、ルアーロック部１２ｄの基端部は栓本体２２により密閉される。なお、栓本体２６の内壁部２６に凸円弧部２６ａを形成しており、また外壁部２４の先端側内周面にテーパ面２４ａが形成されており、これらによって栓本体２６の装着時に、その円環状溝２５を確実にルアーロック部１２ｄが挿入される状態に導くための呼び込み部として機能する。
【００２５】
体腔内に所要の液体を供給する場合には、栓部材２０の栓本体２２を注液用口金１２のルアーロック部１２ｄから取り外して、送液用アダプタ３０をこのルアーロック部１２ｄに接続する。これが図３に示した状態である。この状態で、送液用アダプタ３０におけるルアーロック部材３１にシリンジ等を接続することによって、送液通路１１に向けて液体を供給できるようになる。送液用アダプタ３０は、図６に示したように、ルアーロック部材３１の内面は、注液用口金１２のルアーロック部１２の内面と同様のルアーロックテーパ面Ｔを有するものであり、このルアーロック部材３１の外周部は基端側が大径部３１ａで、この大径部３１ａの先端側が小径部３１ｂとなっており、この小径部３１ｂの大径部３１ａへの移行部には取付溝３２が設けられている。
【００２６】
ルアーロック部材３１の先端は開口しており、この先端開口部は注液用口金１２を介して送液通路１１と連通するようになっている。ただし、常時連通状態としたのでは、シリンジ等の液体圧送手段が接続されていない状態では、送液通路１１側からの逆流が生じることになる。そこで、ルアーロック部材３１の小径部３１ｂには逆流防止弁部材３３が取り付けられている。ここで、逆流防止弁部材３３はシリコンゴム等のように耐熱性を有する弾性部材からなり、その基端側の部位がルアーロック部材３１の小径部３１ｂに嵌合される取付部３３ａとなっており、かつこの取付部３３ａの基端部の内周面には取付溝３２内に嵌入する円環状突条３３ｂが設けられている。ここで、逆流防止弁部材３３はルアーロック部材３１にインサート成形等により装着するのが望ましい。逆流防止弁部材３３における取付部３３ａの先端側は縮径されており、この縮径部３３ｃの端面は閉塞されている。そして、この端面に逆流防止弁を構成するスリット３４が設けられている。さらに、小径部３１ｂから縮径部３３ｃにおいて、スリット３４の形成位置までは、ルアーロック部材３１の内部通路に通じる通路３５が形成されている。従って、スリット３４は、常時においては、つまりルアーロック部材３１の内部が送液用口金１２の内部より高圧にならない限り、相互の接合壁面が密着して、ルアーロック部材３１と送液用口金１２との連通を遮断している。また、ルアーロック部材３１にシリンジ等の液体圧送手段が接続されて、この液体圧送手段から高圧の液体が供給されて、この圧力が通路３５内に導かれると、スリット３４が開いて、注液用口金１２から送液通路１１に向けて液体を供給することができるようになる。
【００２７】
次に、送液用アダプタ３０の注液用口金１２への着脱機構の構成について説明する。送液用アダプタ３０は、ルアーロック部材３１の大径部３１ａにナット部材３６が嵌合されている。ここで、ナット部材３６は、その内面における先端側の部位に注液用口金１２に設けたおねじ部１６に螺合されるめねじ部３７が形成されており、このめねじ部３７はおねじ部１６と同様多条ねじで構成される。ナット部材３６の基端部には内向きの係合突条３６ａが設けられており、この係合突条３６ａの内径はルアーロック部材３１の大径部３１ａの外径より僅かに大きいものとなっている。従って、ナット部材３６はルアーロック部材３１の大径部３１ａに回転自在に嵌合される。
【００２８】
そして、ルアーロック部材３１の大径部３１ａにおける下部位置にはねじ部３８が形成されており、このねじ部３８にはストッパリング３９が螺合されて、耐熱性を有する接着剤により固着されている。ストッパリング３９は、所定の厚み寸法を有し、その外径は係合突条３６ａの内径より大きくなっている。さらに、ルアーロック部材３１の基端部外面にはフランジ部３１ｃが設けられており、このフランジ部３１ｃはシリンジを接続する際に、その係合部と係合する受け部となるものである。しかも、このフランジ部３１ｃの外径はナット部材３６の係合突条３６ａの内径より大きくなっている。従って、ナット部材３６は、ルアーロック部材３１の大径部３１ａに嵌合されて回転自在であり、かつその係合突条３６ａがルアーロック部材３１に設けられているストッパリング３９とフランジ部３１ｃとの間で軸線方向に向けて移動可能であるが、ナット部材３６はルアーロック部材３１から分離しないように保持される。さらに、ストッパリング３９の先端部には注液用口金１２の凹部１５に係合して、ルアーロック部材３１にシリンジ等を接離する際に、回転する方向に力が加わっても、このルアーロック部材３１が回転しないように保持するための突起３９ａが延在して設けられており、この突起３９ａは凹部１５への呼び込み部となるように、凸円弧形状となっている。
【００２９】
送液用アダプタ３０は以上のように構成され、栓部材２０を構成する栓本体２２に代えて、注液用口金１２に着脱可能に接続されるようになっている。このためには、まずナット部材３６をルアーロック部材３１のフランジ部３１ｃ側に変位させた状態で、注液用口金１２のルアーロック部１２ｄの内部にルアーロック部材３１に装着した逆流防止弁部材３３を嵌合させる。ここで、ルアーロック部１２ｄの内面はルアーロックテーパ面Ｔとなっており、先端側に向けて連続的に縮径されている。そこで、逆流防止弁部材３３の取付部３３ａの外径をルアーロック部材１２ｄの基端部内径とほぼ同じか、それより僅かに小さくすることによって、取付部３３ａがルアーロック部１２ｄ内に入り込むと、その内面のルアーロックテーパ面Ｔに沿って進行する間に取付部３３ａが圧縮されるように弾性変形することになる。その結果、注液用口金１２のルアーロック部１２ｄの内面と送液用アダプタ３０を構成するルアーロック部材３１の外面との間が気密状態となる。
【００３０】
また、ルアーロック部材３１の注液用口金１２への接続時には、ストッパリング３９の先端に形成した突起３９ａをルアーロック部１２ｄの端部に設けた凹部１５に係合させる。これによって、ストッパリング３９に固着して設けたルアーロック部材３１の回転止めがなされる。なお、突起３９ａは凸円弧形状となっているので、ルアーロック部材３１をルアーロック部１２ｄに押し込みながら回転させることによって、この突起３９ａは容易に凹部１５に係合することになる。また、突起３９ａが凹部１５内に入り込まない限り、つまり突起３９ａがルアーロック部１２ｄの凹部１５が形成されていない部位に乗り上げている限りは、ナット部材３６のめねじ部３７は注液用口金１２に設けたおねじ部１６には噛み合わないように設定されている。
【００３１】
送液用アダプタ３０側が注液用口金１２内に所定長さ分だけ入り込んだ状態で、ナット部材３６のめねじ部３７を注液用口金１２に設けたおねじ部１６に螺合させることによって、送液用アダプタ３０は注液用口金１２に接続された状態で固定される。ここで、めねじ部３７とおねじ部１６とは多条ねじで構成されているので、ナット部材３６を１乃至数回程度螺回させるだけで、所定の位置まで螺合される。そして、このときには、ナット部材３６の先端部は栓部材２０を構成する取付リング部２１に圧接されて、この取付リング部２１をある程度圧縮変形させるようになる。その結果、この取付リング部２１によりナット部材３６の回り止め機能を発揮することになる。
【００３２】
このようにして送液用アダプタ３０が注液用口金１２に接続された状態では、逆流防止弁部材３３を構成するスリット３４が閉じた状態となり、かつその取付部３３ａが注液用口金１２のルアーロック部１２ｄに圧接されて弾性変形した状態に保持されるから、送液通路１１側からの逆流が発生することはない。
【００３３】
ルアーロック部材３１には、例えば体腔内壁の付着物を除去するために注水を行ったり、また薬液を散布したりするために、例えばシリンジが接続される。このシリンジの接続時には、シリンジをねじ回すようにして接続される。これによって、シリンジがルアーロック部材３１の内面であるルアーロックテーパ面Ｔに密着すると共に、フランジ部３１ｃを抱持するようにして固定される。そして、シリンジを操作して、液体を圧送すると、逆流防止弁を構成するスリット３４が開いて、液体が注液用口金１２から送液通路１１内に送り込まれる。その結果、噴射口１１ａから液体が体腔内に向けて噴射される。液体の噴射が終了すると、シリンジをルアーロック部材３１から分離するが、この分離時にも、シリンジをねじ回すようにする。このように、シリンジの着脱時には、ルアーロック部材３１には回転する方向の力が作用するが、ストッパリング３９の突起３９ａと注液用口金１２の凹部１５との係合により、ルアーロック部材３１がみだりに回転する等のおそれはない。
【００３４】
従って、内視鏡の操作を行う場合において、液体の供給を行う必要がある場合には、注液用口金１２に送液用アダプタ３０を取り付け、また液体の供給を行わない場合には、送液用アダプタ３０を取り外して、注液用口金１２に取付リング部２１が係合している栓部材２０の栓本体２２をこの注液用口金１２のルアーロック部１２ｄに装着する。
【００３５】
内視鏡の使用後には、噴射口１１ａを含めて、送液通路１１内を洗浄する必要がある。この場合には、注液用口金１２のルアーロック部１２ｄには栓本体２２も、また送液用アダプタ３０も取り付けないようにする。そして、ルアーロック部１２ｄに洗浄用薬液や洗浄水、さらには消毒液を充填したシリンジを接続する。ここで、ルアーロック部１２ｄの内面は、ルアーロック部材３１と同様、ルアーロックテーパ面Ｔが設けられているので、シリンジをこのルアーロック部１２ｄに容易に接続できる。そして、ルアーロック部１２ｄから送液通路１１の噴射口１１ａに至るまでの通路には液体の流通を阻害するものが配置されていないので、通路の洗浄を円滑に行える。なお、この操作時において、注液用口金１２の外周面に形成したおねじ部１６が露出していると、このおねじ部１６に手等が触れる可能性がある。しかしながら、本体操作部１のケーシング１ａに設けた取付孔１３の立ち上がり壁１３ｂはおねじ部１６が設けられている部位を囲繞しているので、このおねじ部１６に手等が触れるおそれはない。また、送液用アダプタ３０も滅菌する必要があるが、この送液用アダプタ３０を構成するルアーロック部材３１，ナット部材３６及びストッパリング３９をステンレス等で形成し、また逆流防止弁部材３３を耐熱性のある弾性部材で形成し、さらにストッパリング３９をルアーロック部材３１に固着するための接着剤を耐熱性を有するものとすることによって、オートクレーブによる滅菌が可能となる。
【００３６】
【発明の効果】
以上説明したように、本発明によれば、逆流防止弁を装着した状態でも、また逆流防止弁を取り外した状態でも、シリンジ等の液体圧送手段を接続して、所望の液体を供給できるようになる等の効果を奏する。
【図面の簡単な説明】
【図１】本発明の送液装置を備えた内視鏡の全体構成図である。
【図２】注液用口金に栓部材を装着した状態を示す断面図である。
【図３】注液用口金に送液用アダプタを装着した状態を示す断面図である。
【図４】栓部材の栓本体を注液用口金から取り外した状態を、栓部材を仮想線にして示す平面図である。
【図５】栓部材の断面図である。
【図６】送液用アダプタの断面図である。
【図７】送液用アダプタを注液用口金に装着して、ナット部材を省略して示す正面図である。
【符号の説明】
１　本体操作部　　　１ａ　ケーシング
２　挿入部　　　１０　注液部
１１　送液通路　　　１１ａ　噴射口
１２　注液用口金　　　１２ａ　フランジ部
１２ｄ　ルアーロック部　　　１３　取付孔
１３ａ　段差面　　　１３ｂ　立ち上がり壁
１４　固定用ナット　　　１５　凹部
１６　おねじ部　　　２０　栓部材
２１　取付リング　　　２２　栓本体
２３　連結用帯片　　　２４　外壁部
２５　円環状溝　　　２６　内壁部
３０　送液用アダプタ　　　３１　ルアーロック部材
３１ａ　大径部　　　３１ｂ　小径部
３３　逆流防止弁部材　　　３３ａ　取付部
３４　スリット　　　３５　通路
３６　ナット部材　　　３６ａ　係合突条
３７　めねじ部　　　３９　ストッパリング
３９ａ　突起
【図１】
2004141305.tif 000003
【図２】
2004141305.tif 000004
【図３】
2004141305.tif 000005
【図４】
2004141305.tif 000006
【図５】
2004141305.tif 000007
【図６】
2004141305.tif 000008
【図７】
2004141305.tif 000009